(57)【特許請求の範囲】
【請求項１】
本体に設けたソケットに装着される略点光源と、この光源の周りを覆う反射鏡と、この反射鏡の前面投光開口に取付けられた透光性の前面保護体と、前記本体に設けられて前記反射鏡の後部首部に係合して前記反射鏡を取付ける取付ばねとを備えた照明器具において、前記反射鏡を前記後部首部から前面投光開口側にかけて支持する支持体を前記取付ばねと一体に設け、前記支持体と同じ位置に光軸側に傾斜して前記反射鏡の後部端部を支持する支持部を設け、この支持部と前記支持体との間を回転軸として前記支持部と支持体が弾性変形するようにしたことを特徴とする照明器具。
【請求項２】
支持体は、反射鏡の前面投光開口側の円周方向に設けた請求項１記載の照明器具。
【請求項３】
複数の取付ばねの本体に固定される部分を環状に一体に形成し、この環状部分の外周縁から支持体を設けるとともにその端部を円周方向に延出して形成した請求項２記載の照明器具。
【請求項４】
反射鏡の後部首部に係合する取付ばねの係合部と、支持体が同一線上の位置にない請求項１記載の照明器具。
【請求項５】
反射鏡の後部首部に係合する取付ばねの係合部と、支持体が同一線上の位置にある請求項１記載の照明器具。
【請求項６】
反射鏡は取付ばねに回転式で装着され、反射鏡の前面または前面保護体に回転操作部を設けた請求項１，２，３，４または５記載の照明器具。
【請求項７】
反射鏡に対して前面保護体を支持する支持体または前面保護体に凹凸部を設けた請求項６記載の照明器具。
【発明の詳細な説明】
【０００１】
【発明の属する技術分野】
この発明は、照明器具に関するものである。
【０００２】
【従来の技術】
従来、ランプに対する保護をするために照明器具の前面にプロテクタを有するものがある。目的はランプからの紫外線カットであったり、ランプ破損時の保護であったり高熱部の保護であったりする。その中で反射鏡に前面プロテクタを備えたランプがある。このランプは、ランプが切れると反射鏡、前面プロテクタとともに交換しなければならず、省資源ではない。
【０００３】
最近、前面プロテクタ付反射鏡がランプとは別部品として照明器具に装着されているものがある。これはランプが切れると前面プロテクタ付反射鏡を外して、ランプのみを交換するだけでよい。主にスポットライトで使用されるため、意匠を考慮して前面プロテクタ付反射鏡は、外観上見えない照明器具本体の中で反射鏡上部で反射鏡の脱着機構が備えられており、保持されている。
【０００４】
図３５は従来例の照明器具の断面側面図、図３６（ａ）は従来例における取付ばねの平面図、（ｂ）はその側面図、（ｃ）はその取付状態図である。図３５に示すように、本体１００に設けたソケット１０１に装着される略点光源１０２と、この光源１０２の周りを覆う反射鏡１０３と、本体１００に設けられて反射鏡１０３の後部首部１０４に係合して反射鏡１０３を取付ける取付ばね１０５とを備えている。また、反射鏡１０３の前面投光開口には透光性の前面プロテクタを取付けている。取付ばね１０５は、図３６（ａ），（ｂ）に示すように、係合部１０６と支持部１０７を有する。取付状態では、図３６（ｃ）に示すように、係合部１０６を反射鏡１０３の後部首部１０４に係合して、反射鏡１０３を取付ける。
【０００５】
【発明が解決しようとする課題】
上記従来例の照明器具において、反射鏡が軽量のものであれば確実に保持できる。しかしながら、高照度化が要求されれば反射鏡の投光径を大きくする必要がある。そうなると、反射鏡の重量が増し、反射鏡の上部で保持するにも限界が生じてくる。このように反射鏡の重量が増すと、反射鏡の後部で保持する構造では反射鏡が傾き、光軸がずれて照度が低下したり照射パターンが歪むことがある。
【０００６】
また、反射鏡の後部首部で反射鏡を保持しているため、反射鏡の重量が増すと反射鏡を支えるために取付ばねに大きな保持力が必要となり、脱着操作が困難になる。そのため、前面プロテクタ付反射鏡が重量化しても、反射鏡の傾きがない、反射鏡の脱着操作が容易な照明器具を商品化することが市場でも求められている。
【０００７】
したがって、この発明の目的は、反射鏡が傾いて照射パターンが歪むことはなく、反射鏡の脱着操作が容易にできる照明器具を提供することである。
【０００８】
【課題を解決するための手段】
上記課題を解決するためにこの発明の請求項１記載の照明器具は、本体に設けたソケットに装着される略点光源と、この光源の周りを覆う反射鏡と、この反射鏡の前面投光開口に取付けられた透光性の前面保護体と、前記本体に設けられて前記反射鏡の後部首部に係合して前記反射鏡を取付ける取付ばねとを備えた照明器具において、前記反射鏡を前記後部首部から前面投光開口側にかけて支持する支持体を前記取付ばねと一体に設け、前記支持体と同じ位置に光軸側に傾斜して前記反射鏡の後部端部を支持する支持部を設け、この支持部と前記支持体との間を回転軸として前記支持部と支持体が弾性変形するようにした。
【０００９】
このように、反射鏡を後部首部から前面投光開口側にかけて支持する支持体を設けたので、反射鏡の重量が増しても反射鏡の傾きがなく、光軸がずれて照度が低下したり照射パターンが歪むことはない。また、支持体により反射鏡前面投光開口側を支持するので、反射鏡の後部首部で反射鏡を保持する保持力が低減可能となり、反射鏡の脱着性が向上する。
また、取付ばねと支持体を一体に設けたので、取付ばねと支持体の取付け作業を同時に行うことができる。また、部品点数が増えることはない。また、支持体と同じ位置に光軸側に傾斜して反射鏡の後部端部を支持する支持部を設け、この支持部と支持体との間を回転軸として弾性変形するので、反射鏡の取付け時には反射鏡前面投光開口側を支持する部分のばね圧を小さくしておいても、反射鏡取付け状態において支持部と支持体が弾性により回動して大きな反射鏡の保持力が得られる。すなわち、反射鏡の保持力を大きくするために反射鏡前面投光開口側を支持す部分のばね圧を大きくする必要があるが、上記の構成により反射鏡の取付け時に保持力を確保しつつ大きな挿入力が必要とならない。
【００１３】
請求項２記載の照明器具は、請求項１において、支持体は、反射鏡の前面投光開口側の円周方向に設けた。このように、支持体は、反射鏡の前面投光開口側の円周方向に設けたので、支持体の反射鏡前面投光開口側を支持する部分が円周方向に広くとれ、保持力が大きくなる。
【００１４】
請求項３記載の照明器具は、請求項２において、複数の取付ばねの本体に固定される部分を環状に一体に形成し、この環状部分の外周縁から支持体を設けるとともにその端部を円周方向に延出して形成した。このように、複数の取付ばねの本体に固定される部分を環状に一体に形成し、この環状部分の外周縁から支持体を設けるとともにその端部を円周方向に延出して形成したので、支持体は放射状の曲げと円周状の曲げとの２つの曲げにより反射鏡を保持する形状となり、さらに保持力が大きくなる。
【００１６】
請求項４記載の照明器具は、請求項１において、反射鏡の後部首部に係合する取付ばねの係合部と、支持体が同一線上の位置にない。このように、反射鏡の後部首部に係合する取付ばねの係合部と、支持体が同一線上の位置にないので、支持部と取付ばねの係合部を別々に設けることが可能となり、反射鏡の首部上端でも保持できるので保持力が大きくなる。
【００１７】
請求項５記載の照明器具は、請求項１において、反射鏡の後部首部に係合する取付ばねの係合部と、支持体が同一線上の位置にある。このように、反射鏡の後部首部に係合する取付ばねの係合部と、支持体が同一線上の位置にあるので、反射鏡取付け時に係合部と反射鏡首部の係合に連動して支持部と支持体が弾性により回動して反射鏡の保持力が得られる。
【００１８】
請求項６記載の照明器具は、請求項１，２，３，４または５において、反射鏡は取付ばねに回転式で装着され、反射鏡の前面または前面保護体に回転操作部を設けた。このように、反射鏡は取付ばねに回転式で装着され、反射鏡の前面または保護体に回転操作部を設けたので、反射鏡の重量が増して、反射鏡の後部首部で大きな力で保持しても、反射鏡の脱着時に大きな操作力をかけることができる。
【００１９】
請求項７記載の照明器具は、請求項６において、反射鏡に対して前面保護体を支持する支持体または前面保護体に凹凸部を設けた。このように、反射鏡に対して前面保護体を支持する支持体または前面保護体に凹凸部を設けたので、反射鏡が照明器具の灯具の奥に配置され、脱着操作が困難な場合においても容易に操作できる。
【００２０】
【発明の実施の形態】
この発明の参考例１の照明器具を図１ないし図５に基づいて説明する。図１はこの発明の参考例１の照明器具の一部断面正面図、図２（ａ）はこの参考例の反射鏡の平面図、（ｂ）は反射鏡の一部断面正面図、図３は反射鏡の異なる位置での部分断面図、図４（ａ）はこの参考例の取付ばねの平面図、（ｂ）はそのＡ−Ａ′断面図、図５（ａ）はこの参考例において反射鏡の支持体による取付状態を示す説明図、（ｂ）は取付ばねによる取付状態を示す説明図である。
【００２１】
図１に示すように、灯具本体１に設けたソケット２に装着されるランプ等の略点光源３と、この光源３の周りを覆う反射鏡４と、この反射鏡４の前面投光開口に取付けられた透光性の前面ガラス等の前面保護体５と、灯具本体１に設けられて反射鏡４の後部首部に係合して反射鏡４を取付ける取付ばね６とを備えている。灯具本体１は、器具本体７に設けた支持部材８とともに光軸周りに回動自在で、かつ光軸と直交方向のねじ９により支持部材８に対して回動自在に取付けられる。
【００２２】
反射鏡４は、図２および図３に示すように、前面ガラス付多層膜付ガラス反射鏡で、後部首部１０の４箇所に係合凹部１１が形成してある。係合凹部１１の一方の側面は切欠かれ、取付ばね６を係合する際の案内部１２となる。また、前面保護体５は前面ガラスであり、反射鏡４の開口縁部に取付けた枠１３により支持される。
【００２３】
また、図４および図５に示すように、反射鏡４を後部首部から前面投光開口側にかけて支持する支持体１４を取付ばね６と一体に設けている。この場合、複数の取付ばね６の灯具本体１に固定される部分を環状に一体に形成し、この環状部分６ａの外周縁に支持体１４を連結して形成している。取付ばね６はＶ形に折曲した形状で先端側が係合部６ｂとなる。図４（ｂ）においては、取付ばね６を略直角に切起こしているが傾斜させててもよい。また、環状部分６ａには灯具本体１にねじ止めするための挿通孔１５が設けてある。
【００２４】
上記構成の照明器具において、反射鏡４の取付け時には、取付ばね６が案内部１２と一致するように反射板４の後部首部１０を取付ばね６の環状部分６ａに挿入し、反射鏡４を回すことで取付ばね６の係合部６ｂと係合凹部１１が係合して取付けられる。
【００２５】
以上のようにこの参考例によれば、反射鏡４を後部首部１０より前面投光開口側を支持する支持体１４を設けたので、反射鏡４の重量が増しても反射鏡４の傾きがなく、光軸がずれて照度が低下したり照射パターンが歪むことはない。また、支持体１４により反射鏡前面投光開口側を支持するので、反射鏡４の後部首部１０で反射鏡４を保持する保持力が低減可能となり、反射鏡４の脱着性が向上する。
【００２６】
この発明の参考例２を図６に基づいて説明する。図６（ａ）はこの発明の参考例２において反射鏡の支持体による取付状態を示す説明図、（ｂ）は取付ばねによる取付状態を示す説明図である。図６に示すように、取付ばね６の第１曲げ部Ｃが略直角に折曲され、第１曲げ部Ｃの距離Ｂと反射鏡４の後部首部１０の径Ａとの関係は、Ａ＞Ｂとなるように設定されている。また、取付ばね６の係合部６ｂが第２曲げ部Ｄの位置になるように構成される。なお、参考例１と同一部分には同一符号を付す。
【００２７】
上記構成の照明器具においても参考例１と同様に反射鏡４を取付けることができる。この場合、反射鏡４の後部首部１０の径Ａ＞第１曲げ部Ｃの距離Ｂとしてあるので、反射鏡４の取付ばね６への無理な取付けを防止することができる。また、取付ばね６の第１曲げ部Ｃの曲げ角度は略直角により、第１曲げ部Ｃから第２曲げ部Ｄまでの距離が最短となるために、第１曲げ部Ｃのばらつきによる寸法のばらつきが最小となる。また、反射鏡４を後部首部１０で係合する係合部６ｂは第２曲げ部Ｄの位置になるように構成されるため、係合部６ｂの位置のばらつきによる変動は第１曲げ部Ｃのばらつきのみとなる。すなわち、第２曲げ部Ｄの曲げ角度のばらつきは考慮しなくてもよい。その他の構成効果は、参考例１と同様である。
【００２８】
この発明の参考例３を図７および図８に基づいて説明する。図７（ａ）はこの発明の参考例３の取付ばねの平面図、（ｂ）はそのＡ−Ａ′断面図、図８は図７（ａ）のＢ−Ｂ′断面図である。図７および図８に示すように、複数の取付ばね６の灯具本体１に固定される部分を環状に一体に形成し、この環状部分６ａの内周縁に支持体１４を連結して形成している。この場合、隣合う取付ばね６，６の間に支持体１４が位置するように構成した。
【００２９】
上記構成の照明器具においても参考例１と同様に反射鏡４を取付けることができる。この参考例では、取付ばね６の環状部分６ａの内周縁に支持体１４を連結して形成したので、取付ばね６の材料取りがよくローコストとなる。その他の構成効果は、参考例１と同様である。
【００３０】
この発明の参考例４を図９および図１０に基づいて説明する。図９（ａ）はこの発明の参考例４の取付ばねの正面図、（ｂ）は底面図、図１０は参考例４において反射鏡の取付状態を示す説明図である。図９および図１０に示すように、反射鏡４を後部首部１０から前面投光開口側にかけて支持するために設けた支持体をコイルばね１６とした。この場合、コイルばね１６は取付ばね６の環状部分６ａに固着されており、反射鏡４の後部首部１０の周りに設けてある。また、コイルばね１６の先端部１６ａをリング状にして取付ばね６の一つの挿通孔１６とともに灯具本体１にねじ止めできるようにしてある。
【００３１】
上記構成の照明器具においても参考例１と同様に反射鏡４を取付けることができる。この場合、図１０に示すように反射鏡４の取付けによりコイルばね１６が圧縮されてその弾発力により反射鏡前面投光開口側を支持することができる。また、コイルばね１６により反射鏡前面投光開口側を線で均一の力で支持するので反射鏡４の傾きが少ない。その他の構成効果は、参考例１と同様である。
【００３２】
この発明の参考例５を図１１ないし図１３に基づいて説明する。図１１（ａ）はこの発明の参考例５の取付ばねの平面図、（ｂ）はそのＡーＡ′断面図、図１２は図１１（ａ）のＢ−Ｂ′断面図、図１３（ｂ）はこの発明の参考例５において反射鏡の支持体による取付状態を示す説明図、（ｂ）は取付ばねによる取付状態を示す説明図である。この参考例では、支持体１７は、反射鏡４の前面投光開口側の円周方向に設けている。すなわち、図１１および図１２に示すように、取付ばね６の環状部分６ａの外周縁から支持体１７を設けるとともにその端部を円周方向の一方向に延出して形成した。この場合、支持体１７の円周方向に延びた部分を反射鏡４側に折曲するとともにその先端を反対側に折曲して形成している。
【００３３】
上記構成の照明器具においても参考例１と同様に反射鏡４を取付けることができる。この場合、図１３に示すように支持体１７は放射状の曲げと円周状の曲げとの２つの曲げにより反射鏡４を保持する形状となり、さらに保持力が大きくなる。その他の構成効果は、参考例１と同様である。
【００３４】
この発明の参考例６を図１４および図１５に基づいて説明する。図１４（ａ）はこの発明の参考例６の取付ばねの平面図、（ｂ）はそのＡーＡ′断面図、図１５は図１４（ａ）のＢ−Ｂ′断面図である。図１４および図１５に示すように、取付ばね６の環状部分６ａの外周縁から支持体１７を設けるとともにその端部を円周方向の二方向に延出して形成した。
【００３５】
上記構成の照明器具においても参考例１と同様に反射鏡４を取付けることができる。この場合、参考例５と比較すると、反射鏡４を保持する箇所が多数取れるため、さらに保持力が大きくなる。その他の構成効果は、参考例１，５と同様である。
【００３６】
この発明の第１の実施の形態を図１６および図１７に基づいて説明する。図１６（ａ）はこの発明の第１の実施の形態の取付ばねの平面図、（ｂ）はそのＡーＡ′断面図、図１７は第１の実施の形態において反射鏡の取付状態を示す説明図である。図１６および図１７に示すように、支持体１４と同じ位置に光軸側に傾斜して反射鏡４の後部端部を支持する支持部を設け、この支持部と支持体１４との間を回転軸として弾性変形するようにした。この場合、反射鏡４の後部首部１０に係合する取付ばね６の係合部６ｂと支持体１４が同一線上の位置にあり、係合部６ｂと支持体１４の間で弾性回転軸１８を設けている。したがって、支持部が係合部６ｂにより構成される。
【００３７】
上記構成の照明器具においても参考例１と同様に反射鏡４を取付けることができる。この場合、係合部６ｂが反射鏡４の首部１０により広げられると、反射鏡後部端部を支持する支持部は内側に移動して反射鏡４を保持する。（係合部６ｂと支持体１４は同一線上の位置にあるため）。
【００３８】
以上のようにこの実施の形態によれば、反射鏡４の取付け時には反射鏡前面投光開口側を支持する部分のばね圧を小さくしておいても、反射鏡取付け状態において支持部と支持体１４が弾性により回動して大きな反射鏡４の保持力が得られる。すなわち、反射鏡４の保持力を大きくするために反射鏡前面投光開口側を支持す部分のばね圧を大きくする必要があるが、上記の構成により反射鏡４の取付け時に保持力を確保しつつ大きな挿入力が必要とならない。その他の構成効果は、参考例１と同様である。
【００３９】
この発明の第２の実施の形態を図１８および図２０に基づいて説明する。図１８（ａ）はこの発明の第２の実施の形態の取付ばねの平面図、（ｂ）はそのＡーＡ′断面図、図１９は図１８（ａ）のＢ−Ｂ′断面図、図２０（ａ）はこの発明の第２の実施の形態において反射鏡の支持部による取付状態を示す説明図、（ｂ）は取付ばねによる取付状態を示す説明図である。図１９および図２０に示すように、第１の実施の形態と同様に支持体１４と同じ位置に光軸側に傾斜して反射鏡４の後部端部を支持する支持部１９を設け、この支持部１９と支持体１４との間を回転軸として弾性変形するようにした。この場合、反射鏡４の後部首部１０に係合する取付ばね６の係合部６ｂと支持体１４が同一線上の位置にない。また、支持部１９と支持体１４が同一線上の位置にあり、支持部１９と支持体１４の間で弾性回転軸１８を設けている。
【００４０】
上記構成の照明器具においても参考例１と同様に反射鏡４を取付けることができる。この場合、係合部６ｂが反射鏡４の首部１０により広げられると、反射鏡後部端部を支持する支持部１９は内側に移動して反射鏡４を保持する。（支持部１９と支持体１４は同一線上の位置にあるため）。
【００４１】
以上のようにこの実施の形態によれば、反射鏡４の取付け時には反射鏡前面投光開口側を支持する部分のばね圧を小さくしておいても、反射鏡取付け状態において支持部１９と支持体１４が弾性により回動して大きな反射鏡４の保持力が得られる。また、反射鏡４の後部首部１０に係合する取付ばね６の係合部６ｂと、支持体１４が同一線上の位置にないので、支持部１９と取付ばね６の係合部６ｂを別々に設けることが可能となり、反射鏡４の首部上端でも保持できるので保持力が大きくなる。その他の構成効果は、参考例１および第１の実施の形態と同様である。
【００４２】
この発明の第３の実施の形態を図２１ないし図２４に基づいて説明する。図２１（ａ）はこの発明の第３の実施の形態の反射鏡の一部断面正面図、（ｂ）は平面図、図２２はその要部拡大図、図２３は第３の実施の形態において反射鏡の着脱の説明図、図２４はその要部拡大図である。図２１および図２２に示すように、反射鏡４は取付ばねに回転式で装着され、反射鏡４の前面または前面保護体５に回転操作部（長穴２３）を設けている。前面保護体５は、反射鏡４の前面開口に取付けられた支持体（枠２１）により支持される。また、反射鏡４と前面保護体５との間に空間２２を設け、この空間２２に対応するように枠２１に長穴２３を設けている。なお、取付ばねは、上記各実施の形態の取付ばねを用いることができる。
【００４３】
上記構成の照明器具においても参考例１と同様に反射鏡４を取付けることができる。この場合、図２３および図２４に示すように、反射鏡着脱具２４を長穴２３に差し込んで、反射鏡４を回転操作させて脱着することができる。これにより、反射鏡４の重量が増して、反射鏡４の後部首部１０で大きな力で保持しても、反射鏡４の脱着時に大きな操作力をかけることができる。
【００４４】
この発明の第４の実施の形態を図２５および図２６に基づいて説明する。図２５（ａ）はこの発明の第４の実施の形態の反射鏡の一部断面正面図、（ｂ）は平面図、図２６はその要部拡大図である。第３の実施の形態と同様に反射鏡４は取付ばねに回転式で装着され、反射鏡４の前面または前面保護体５に回転操作部を設けている。この場合、前面保護体５は、反射鏡４の前面開口に取付けられた枠２５により支持される。枠２５には反射鏡前面方向に回転操作部となる突起部２６を一体に設けている。
【００４５】
上記構成の照明器具においても参考例１と同様に反射鏡４を取付けることができる。この場合、突起部２６を持って、反射鏡４を回転操作させて脱着することができる。その他の構成効果は、参考例１および第３の実施の形態と同様である。
【００４６】
この発明の第５の実施の形態を図２７および図２８に基づいて説明する。図２７（ａ）はこの発明の第５の実施の形態の反射鏡の一部断面正面図、（ｂ）は平面図、図２８はその要部拡大図である。第３の実施の形態と同様に反射鏡４は取付ばねに回転式で装着され、反射鏡４の前面または前面保護体２７に回転操作部を設けている。この場合、前面保護体２７は反射鏡４の前面開口に取付けられた枠１３により支持されるが、この前面保護体２７の反射鏡前面方向に回転操作部となる突起部２８を一体に設けている。
【００４７】
上記構成の照明器具においても参考例１と同様に反射鏡４を取付けることができる。この場合、突起部２８を持って、反射鏡４を回転操作させて脱着することができる。その他の構成効果は、参考例１および第３の実施の形態と同様である。
【００４８】
この発明の第６の実施の形態を図２９および図３０に基づいて説明する。図２９（ａ）はこの発明の第６の実施の形態の反射鏡の一部断面正面図、（ｂ）は平面図、図３０はその要部拡大図である。第３の実施の形態と同様に反射鏡４は取付ばねに回転式で装着され、反射鏡４の前面または前面保護体２９に回転操作部を設けている。この場合、前面保護体２９は反射鏡４の前面開口に取付けられた枠３１により支持されるが、この前面保護体２９の反射鏡前面方向に回転操作部となる突起部３０を一体に設けている。また、突起部３０は枠３１に設けた穴３２より突出する。
【００４９】
上記構成の照明器具においても参考例１と同様に反射鏡４を取付けることができる。この場合、突起部３０を持って、反射鏡４を回転操作させて脱着することができる。その他の構成効果は、参考例１および第３の実施の形態と同様である。
【００５０】
この発明の第７の実施の形態を図３１および図３２に基づいて説明する。図３１（ａ）はこの発明の第７の実施の形態の反射鏡の一部断面正面図、（ｂ）は平面図、図３２はその要部拡大図である。第３の実施の形態と同様に反射鏡４は取付ばねに回転式で装着され、反射鏡４の前面または前面保護体５に回転操作部を設けている。また、反射鏡４に対して前面保護体５を支持する支持体または前面保護体５に凹凸部３４を設けている。この場合、前面保護体５は反射鏡４の前面開口に取付けられた枠３３により支持される。この枠３３の外周面に反射鏡側面方向に回転操作部となる凹凸部３４を設けている。
【００５１】
上記構成の照明器具においても参考例１と同様に反射鏡４を取付けることができる。この場合、凹凸部３４をグリップにして、反射鏡４を回転操作させて脱着することができる。また、反射鏡４に対して前面保護体５を支持する支持体または前面保護体５に凹凸部３４を設けたので、反射鏡４が照明器具の灯具の奥に配置され、脱着操作が困難な場合においても容易に操作できる。その他の構成効果は、参考例１および第３の実施の形態と同様である。
【００５２】
この発明の第８の実施の形態を図３３および図３４に基づいて説明する。図３３（ａ）はこの発明の第８の実施の形態の反射鏡の一部断面正面図、（ｂ）は平面図、図３４はその要部拡大図である。第３の実施の形態と同様に反射鏡４は取付ばねに回転式で装着され、反射鏡４の前面または前面保護体５に回転操作部を設けている。また、反射鏡４に対して前面保護体５を支持する支持体または前面保護体５に凹凸部３６を設けている。この場合、前面保護体５は反射鏡４の前面開口に取付けられた枠３５により支持される。この枠３５の外周面に反射鏡前面方向に回転操作部となる凹凸部３６を設けている。
【００５３】
上記構成の照明器具においても参考例１と同様に反射鏡４を取付けることができる。この場合、凹凸部３６をグリップにして、反射鏡４を回転操作させて脱着することができる。また、反射鏡４に対して前面保護体５を支持する支持体または前面保護体５に凹凸部３６を設けたので、反射鏡４が照明器具の灯具の奥に配置され、脱着操作が困難な場合においても容易に操作できる。その他の構成効果は、参考例１および第３の実施の形態と同様である。
【００５４】
【発明の効果】
この発明の請求項１記載の照明器具によれば、反射鏡を後部首部から前面投光開口側にかけて支持する支持体を設けたので、反射鏡の重量が増しても反射鏡の傾きがなく、光軸がずれて照度が低下したり照射パターンが歪むことはない。また、支持体により反射鏡前面投光開口側を支持するので、反射鏡の後部首部で反射鏡を保持する保持力が低減可能となり、反射鏡の脱着性が向上する。
また、取付ばねと支持体を一体に設けたので、取付ばねと支持体の取付け作業を同時に行うことができる。また、部品点数が増えることはない。また、支持体と同じ位置に光軸側に傾斜して反射鏡の後部端部を支持する支持部を設け、この支持部と支持体との間を回転軸として弾性変形するので、反射鏡の取付け時には反射鏡前面投光開口側を支持する部分のばね圧を小さくしておいても、反射鏡取付け状態において支持部と支持体が弾性により回動して大きな反射鏡の保持力が得られる。すなわち、反射鏡の保持力を大きくするために反射鏡前面投光開口側を支持す部分のばね圧を大きくする必要があるが、上記の構成により反射鏡の取付け時に保持力を確保しつつ大きな挿入力が必要とならない。
【００５８】
請求項２では、支持体は、反射鏡の前面投光開口側の円周方向に設けたので、支持体の反射鏡前面投光開口側を支持する部分が円周方向に広くとれ、保持力が大きくなる。
【００５９】
請求項３では、複数の取付ばねの本体に固定される部分を環状に一体に形成し、この環状部分の外周縁から支持体を設けるとともにその端部を円周方向に延出して形成したので、支持体は放射状の曲げと円周状の曲げとの２つの曲げにより反射鏡を保持する形状となり、さらに保持力が大きくなる。
【００６１】
請求項４では、反射鏡の後部首部に係合する取付ばねの係合部と、支持体が同一線上の位置にないので、支持部と取付ばねの係合部を別々に設けることが可能となり、反射鏡の首部上端でも保持できるので保持力が大きくなる。
【００６２】
請求項５では、反射鏡の後部首部に係合する取付ばねの係合部と、支持体が同一線上の位置にあるので、反射鏡取付け時に係合部と反射鏡首部の係合に連動して支持部と支持体が弾性により回動して反射鏡の保持力が得られる。
【００６３】
請求項６では、反射鏡は取付ばねに回転式で装着され、反射鏡の前面または保護体に回転操作部を設けたので、反射鏡の重量が増して、反射鏡の後部首部で大きな力で保持しても、反射鏡の脱着時に大きな操作力をかけることができる。
【００６４】
請求項７では、反射鏡に対して前面保護体を支持する支持体または前面保護体に凹凸部を設けたので、反射鏡が照明器具の灯具の奥に配置され、脱着操作が困難な場合においても容易に操作できる。
【図面の簡単な説明】
【図１】  この発明の参考例１の照明器具の一部断面正面図である。
【図２】  （ａ）はこの参考例の反射鏡の平面図、（ｂ）は反射鏡の一部断面正面図である。
【図３】  反射鏡の異なる位置での部分断面図である。
【図４】  （ａ）はこの参考例の取付ばねの平面図、（ｂ）はそのＡ−Ａ′断面図である。
【図５】  （ａ）はこの参考例において反射鏡の支持体による取付状態を示す説明図、（ｂ）は取付ばねによる取付状態を示す説明図である。
【図６】  この発明の参考例２において反射鏡の支持体による取付状態を示す説明図、（ｂ）は取付ばねによる取付状態を示す説明図である。
【図７】  （ａ）はこの発明の参考例３の取付ばねの平面図、（ｂ）はそのＡ−Ａ′断面図である。
【図８】  図７（ａ）のＢ−Ｂ′断面図である。
【図９】  （ａ）はこの発明の参考例４の取付ばねの正面図、（ｂ）は底面図である。
【図１０】  参考例４において反射鏡の取付状態を示す説明図である。
【図１１】  （ａ）はこの発明の参考例５の取付ばねの平面図、（ｂ）はそのＡーＡ′断面図である。
【図１２】  図１１の（ａ）のＢ−Ｂ′断面図である。
【図１３】  この発明の参考例５において反射鏡の支持体による取付状態を示す説明図、（ｂ）は取付ばねによる取付状態を示す説明図である。
【図１４】  （ａ）はこの発明の参考例６の取付ばねの平面図、（ｂ）はそのＡーＡ′断面図である。
【図１５】  図１４（ａ）のＢ−Ｂ′断面図である。
【図１６】  （ａ）はこの発明の第１の実施の形態の取付ばねの平面図、（ｂ）はそのＡーＡ′断面図である。
【図１７】  第１の実施の形態において反射鏡の取付状態を示す説明図である。
【図１８】  （ａ）はこの発明の第２の実施の形態の取付ばねの平面図、（ｂ）はそのＡーＡ′断面図である。
【図１９】  図１８（ａ）のＢ−Ｂ′断面図である。
【図２０】  （ａ）はこの発明の第２の実施の形態において反射鏡の支持部による取付状態を示す説明図、（ｂ）は取付ばねによる取付状態を示す説明図である。
【図２１】  （ａ）はこの発明の第３の実施の形態の反射鏡の一部断面正面図、（ｂ）は平面図である。
【図２２】  その要部拡大図である。
【図２３】  第３の実施の形態において反射鏡の着脱の説明図である。
【図２４】  その要部拡大図である。
【図２５】  （ａ）はこの発明の第４の実施の形態の反射鏡の一部断面正面図、（ｂ）は平面図である。
【図２６】  その要部拡大図である。
【図２７】  （ａ）はこの発明の第５の実施の形態の反射鏡の一部断面正面図、（ｂ）は平面図である。
【図２８】  その要部拡大図である。
【図２９】  （ａ）はこの発明の第６の実施の形態の反射鏡の一部断面正面図、（ｂ）は平面図である。
【図３０】  その要部拡大図である。
【図３１】  （ａ）はこの発明の第７の実施の形態の反射鏡の一部断面正面図、（ｂ）は平面図である。
【図３２】  その要部拡大図である。
【図３３】  （ａ）はこの発明の第８の実施の形態の反射鏡の一部断面正面図、（ｂ）は平面図である。
【図３４】  その要部拡大図である。
【図３５】  従来例の照明器具の断面側面図である。
【図３６】  （ａ）は従来例における取付ばねの平面図、（ｂ）はその側面図、（ｃ）はその取付状態図である。
【符号の説明】
１  灯具本体
２  ソケット
３  ランプ
４  反射鏡
５  前面保護体
６  取付ばね
６ａ  環状部分
６ｂ  操作部
１１  係合凹部
１３  枠
１４  支持体
１７  支持体
１８  回転軸
１９  支持部
２１，２５，３１，３３，３５  枠
２３  長穴
２６  突起部
２７，２９  前面保護体
２８，３０  突起部
３４，３６  凹凸部
【図１】
0003714075.tif 000002
【図２】
0003714075.tif 000003
【図３】
0003714075.tif 000004
【図４】
0003714075.tif 000005
【図５】
0003714075.tif 000006
【図６】
0003714075.tif 000007
【図７】
0003714075.tif 000008
【図８】
0003714075.tif 000009
【図９】
0003714075.tif 000010
【図１０】
0003714075.tif 000011
【図１１】
0003714075.tif 000012
【図１２】
0003714075.tif 000013
【図１３】
0003714075.tif 000014
【図１４】
0003714075.tif 000015
【図１５】
0003714075.tif 000016
【図１６】
0003714075.tif 000017
【図１７】
0003714075.tif 000018
【図１８】
0003714075.tif 000019
【図１９】
0003714075.tif 000020
【図２０】
0003714075.tif 000021
【図２１】
0003714075.tif 000022
【図２２】
0003714075.tif 000023
【図２３】
0003714075.tif 000024
【図２４】
0003714075.tif 000025
【図２５】
0003714075.tif 000026
【図２６】
0003714075.tif 000027
【図２７】
0003714075.tif 000028
【図２８】
0003714075.tif 000029
【図２９】
0003714075.tif 000030
【図３０】
0003714075.tif 000031
【図３１】
0003714075.tif 000032
【図３２】
0003714075.tif 000033
【図３３】
0003714075.tif 000034
【図３４】
0003714075.tif 000035
【図３５】
0003714075.tif 000036
【図３６】
0003714075.tif 000037